(57)【要約】【課題】発生させたエネルギーのほぼ１００％を推進力に転化することができるエネルギー効率の高い推進力が得られ、またその技術を様々な分野で広汎に活用することができるベクトルポテンシャル推進方法とその装置を提供する。【解決手段】同極同志を互いに対向させて一対と成す任意対の磁石１１，１２，１３，１４・・と、その磁石を回転させるための回転機構とを備えた推進力の発生装置であって、前記磁石の各対を、同一の回転軸、同一の強さ、同一の回転方向を有する回転磁界が発生し、且つその合成された磁界がゼロとなるように組み合わせて設定するとともに、前記回転機構を、磁石を載設する基板３０が、所望方向に回転可能な回転軸２０に取付けられた構成とし、使用する対数と同数個の回転ベクトルの合成ベクトル方向に推進力を発生させるようにする。【選択図】図１
2007051629.tif 000002
【特許請求の範囲】
【請求項１】
同極同志を互いに対向させて一対と成す磁石または磁界を任意対組み合わせ、その組み合わせた磁石または磁界を、回転機構を用いて回転させるようにした推進力の発生方法であって、使用する各対を、同一の回転軸、同一の強さ、同一の回転方向を有する回転磁界が発生し、且つその合成された磁界がゼロとなるように設定することによって、使用する対数と同数個の回転ベクトルの合成ベクトル方向に推進力を発生させるようにしたことを特徴とするベクトルポテンシャル推進方法。
【請求項２】
同極同志を互いに対向させて一対と成す磁石または磁界の任意対と、その磁石または磁界を回転させるための回転機構とを備えた推進力の発生装置であって、前記磁石または磁界の各対を、同一の回転軸、同一の強さ、同一の回転方向を有する回転磁界が発生し、且つその合成された磁界がゼロとなるように組み合わせて設定するとともに、前記回転機構を、磁石または磁界を載設する基板が所望方向に回転可能な回転軸に取付けられた構成とすることを特徴とするベクトルポテンシャル推進装置。
【発明の詳細な説明】
【技術分野】
【０００１】  本発明は、電磁気学における電界・磁界を組み合わせて、従来の電磁気学において未だ発見されていない新たな推進力を得るものであり、さらに詳しくは、人工的に発生させた回転磁界から推進力を得るようにしたベクトルポテンシャル推進方法とその装置に関するものである。
【背景技術】
【０００２】  従来の電磁気学において発見されていた推進力としては、磁界同志の反発・吸引力、電界同志の反発・吸引力およびローレンツ力などがあるが、この磁界同志の反発・吸引力を利用して羽根車に回転力を与え、推進力を発生するように構成した外周駆動型推進器がある（例えば、特許文献１参照。）。また多相の送電線電力ケーブルの周囲の回転磁界中に誘導電動機等から成る回転体を設け、回転体に誘導される回転力を別体の変換機構で変換して、ケーブル長さ方向の推進力を得る方法および装置も提案されている（例えば、特許文献２参照。）。
【特許文献１】特開平１０−６６３２０号公報（第２−３頁、図２）
【特許文献２】特開平８−２９４２６４号公報（第３−４頁、図２）
【発明の開示】
【発明が解決しようとする課題】
【０００３】  上記した特許文献１の技術は、投入されたエネルギーの一部が推進力以外のエネルギーとして消費されてしまい、その運動状態を長時間に渡って継続することが困難であるという問題点があった。【０００４】  上記した特許文献２の技術は、多相の送電線電力ケーブルの周囲に自然発生している回転磁界を利用するようになっているので、回転磁界を人工的に発生させて利用することは想定されておらず、また推進力を発生する条件が限定されているので、ロケット工学その他の様々な分野で広汎に活用することができないという欠点があった。【０００５】  そこで本発明は、発生させたエネルギーのほぼ１００％を推進力に転化することができるエネルギー効率の高い推進力が得られ、またその技術を様々な分野で広汎に活用することができるベクトルポテンシャル推進方法とその装置の提供を目的とするものである。
【課題を解決するための手段】
【０００６】  上記の目的を達成するため、請求項１に記載の本発明は、同極同志を互いに対向させて一対と成す磁石または磁界を任意対（以下、これをＮ対と称する。但しＮは自然数）組み合わせ、その組み合わせた磁石または磁界を、回転機構を用いて回転させるようにした推進力の発生方法であって、使用する各対を、同一の回転軸、同一の強さ、同一の回転方向を有する回転磁界が発生し、且つその合成された磁界がゼロとなるように組み合わせて設定することによって、Ｎ個の回転ベクトルの合成ベクトル方向に推進力を発生させるようにしたものである。【０００７】  請求項２に記載の本発明は、同極同志を互いに対向させて一対と成す磁石または磁界のＮ対と、その磁石または磁界を回転させるための回転機構を備えた推進力の発生装置であって、前記磁石または磁界の各対を、同一の回転軸、同一の強さ、同一の回転方向を有する回転磁界が発生し、且つその合成された磁界がゼロとなるように組み合わせて設定するとともに、前記回転機構を、磁石または磁界を載設する基板が所望方向に回転可能な回転軸に取付けられた構成とするものである。
【発明の効果】
【０００８】  本発明によれば、同極同志を互いに対向させて一対と成す磁石または磁界をＮ対組み合わせ、その各対を、同一の回転軸、同一の強さ、同一の回転方向を有する回転磁界が発生し、且つその合成された磁界がゼロとなるように設定することによって、Ｎ個の回転ベクトルの合成ベクトル方向に推進力を発生させることが可能となった。この推進力の方向は回転の方向の変化によって制御可能であり、その結果として、推進力の方向を自在に制御できるという特長がある。またこの推進力による運動は、何等かの外力が加わらない限り継続させることができるという大きな特長もある。【０００９】  通常の推進装置は、他の接触する物体との間で摩擦力が発生する。またロケットにおける後方噴射などの例に見られるように、周囲の物体に力を作用させてその反作用によって推進力を得る場合等においては、推進に必要な投入されたエネルギーのかなりの部分が、熱などの形で推進力以外のエネルギーとして消費されてしまうものである。しかしながら本発明装置は、推進に必要な投入された回転のエネルギーがそのまま推進エネルギーとして消費されるので、エネルギー効率が極めて高いという長所を有している。【００１０】  本発明は、上述のようにエネルギー効率が極めて高いので、重力場間においても減速しない運搬用具、ロケット工学における姿勢制御装置、重力の軽減効果を応用した建築建造技術、重力場の制御による垂直離着陸が可能な飛行体等の様々な分野において、本発明の上記した装置を広範囲に活用することができるという多大な効果を奏するものである。
【発明を実施するための最良の形態】
【００１１】  同極同志を互いに対向させて一対と成す磁石または磁界のＮ対を、回転機構を用いて回転させることにより、Ｎ個の回転ベクトルの合成ベクトル方向に推進力を発生させることができる。
【実施例】
【００１２】  以下に、本発明の一実施例を詳細に説明する。なお本発明では、磁石または三相交流などのコイルによって形成された磁界を用いるものであるが、説明の便宜上、ここでは磁石を用いる場合を例として説明するものとする。【００１３】  本発明は、同種同型同磁力を有する２個一対の磁石の少なくとも一対以上の任意対（Ｎ対）と、回転軸２０や基板３０等を備えた回転機構とにより構成されたものであり、この磁石１１，１２，１３，１４・・・のＮ対が、同一の回転軸、同一の強さ、同一の回転方向を有し、且つその合成された磁界がゼロとなるように設定されることにより、Ｎ個の回転ベクトルの合成ベクトル方向に推進力を発生するベクトルポテンシャル推進方法を提供するものである。【００１４】  次に、図１を参照しながら、上記したベクトルポテンシャル推進方法を実施するための装置について説明する。図中１１，１２，１３，１４は同種同型同磁力を有する直方体状の磁石で、磁石１１と磁石１２が一対を成し、また磁石１３と磁石１４が一対を成すものである。これらの磁石は、図示のようにそれぞれ同極同志を互いに対向させた形態となっており、且つ後述する基板３０の上面に描かれた円周３１（仮想線で示す）上に等間隔を存して載設されている。なお本実施例においては、上記した円周３１の直径を極力小さくして、相対向する磁石間の距離を極力小さくするものとし、また使用する磁石の数は４個に限定するものではない。【００１５】  上記した磁石１１，１２，１３，１４を回転させるための回転機構は、内部が空洞の円錐台状に形成された支持台４０に丸棒状の回転軸２０を立設するとともに、円形の平板状に形成された基板３０をその回転軸２０に直交して取付け、さらに支持台４０の上部および内外の周辺に、モーター５１と電源５２等から成る駆動手段５０を設けた構造となっている。この場合に、前記した回転軸２０は基板３０の中心部を貫通して立設されるとともに、所望する任意な方向に回転可能な形状となっており、また前記した円周３１は、回転軸２０と基板３０の交点を中心点として描かれるもので、本実施例では仮想線で示してあるが、基板３０の上面に実線で描くようにしてもよい。【００１６】  上記のような構造の本発明装置において、回転軸２０を支点として基板３０を回転させた後に、この装置全体の重量を測定したところ、回転前に比較して変化していることが判明した。したがって、この装置の回転軸方向に推進力が発生したことを確認することができた。【００１７】  上述した如く、磁石または磁界を組み合わせて合成された磁界がゼロとなる条件下で装置を回転させると、たとえ合成された磁界がゼロであっても、回転軸方向には全く新たな推進力が発生する。この場合に、回転させるに要したエネルギーがほぼ１００％推進力に転化していると考えられ、極めてエネルギー効率が高く、環境に優しい装置を得ることができる。またこの推進力は回転をストップさせない限り発生し続け、且つ回転の方向を変えることにより、推進力の方向を変えることができる推進装置として極めて性能の高いものである。
【図面の簡単な説明】
【００１８】
【図１】本発明のベクトルポテンシャル推進装置を示す斜視図である。
【符号の説明】
【００１９】１１，１２，１３，１４  磁石
２０  回転軸
３０  基板
４０  支持台
５０  駆動手段
【図１】
2007051629.tif 000003